(57)【要約】【課題】液体がはいっている容器などをその包装用箱体にいれたままの状態で液体を利用できるようにした包装用箱体を提供する。【解決手段】包装用箱体１の開口面を突き合わせ状態で閉じる対向する２つの側壁端部に連設された第１、第２の蓋構成体２８、２９の突き合わせ端部に収容物体を抱束する第１、第２の抱束部２８ａ、２９ａを設けて、液体容器の排出口部を第１、第２の蓋構成体２８、２９を閉じることによって抱束して、包装用箱体１にいれたままの状態で液体容器内の液体を利用できるようにする。【選択図】        図１
2004284671.tif 000002
【特許請求の範囲】
【請求項１】
中空長方体状で少なくとも一面の開口面が開閉されるようにした包装用箱体において、
前記開口面を突き合わせ状態で閉じる対向する２つの側壁端部に連設された第１、第２の蓋構成体の突き合わせ端部に収容物体を抱束する第１、第２の抱束部を設けたことを特徴とする包装用箱体。
【発明の詳細な説明】
【０００１】
【発明の属する技術分野】
本発明は液体容器を収容したまま、液体容器内の液体を外部へ排出できるようにした包装用箱体に関する。
【０００２】
【従来の技術】
例えば水やお茶、ジュースその他種々の飲料用液体などを少量ずつ飲むためにノズル付きの硬質の収納ケース内に収納し、ノズルを開いてコップなどへいれて飲用することが、従来より一般に行われている。
【０００３】
【発明が解決しようとする課題】
しかしながら、このような従来方法では、専用の収納ケースが必要でコスト高となる。
また、収納ケースが空になると、容器に飲料用液体がはいったものを購入して、収納ケースに移しかえなければならず、この作業が煩雑である。
【０００４】
本発明は液体がはいっている容器などをその包装用箱体にいれたままの状態で液体を利用できるようにした包装用箱体を提供することを目的としている。
【０００５】
【課題を解決するための手段】
前記目的を達成するために、本発明の包装用箱体では、
開口面を突き合わせ状態で閉じる対向する２つの側壁端部に連設された第１、第２の蓋構成体の突き合わせ端部に収容物体を抱束する第１、第２の抱束部を設けている。
【０００６】
このようにしたため、例えば液体がはいった液体容器の例えば排出口部を第１、第２の蓋構成体を閉じることによって抱束して、包装用箱体にいれたままの状態で液体容器内の液体を利用することができる。
【０００７】
【発明の実施の形態】
以下、図面に基づいて本発明の実施の形態を説明する。
図１〜８は本発明の一実施形態を示している。
【０００８】
図２に示すように、この実施形態の包装用箱体１は例えば段ボール紙から成り、図３に示すように形状に段ボール紙２を打抜いたものから中空長方体状の箱体を組み立てるものである。
【０００９】
即ち、直線方向に連設された第１、第２、第３、第４の側壁部４、５、６、７の各境界線８、９、１０において直角に折り曲げ、図２に示すように、第４の側壁部７の端部に突設された取付け片１２を折曲げ線１３に沿って直角に折り曲げて、この取付け片１２を第１の側壁部４の端部の内面に接着あるいはその他の適宜手段で固定する。
【００１０】
図３に示すように第１、第２、第３、第４の側壁部４、５、６、７の下端からは第１、２、３、４の底蓋構成片１５、１６、１７、１８が突設されていて、図４に示すように第４の底蓋構成片１８を折曲げ線２３において直角に内側へ折り曲げ、その上から第１、第３の底蓋構成片１５、１７を折曲げ線２０、２２において直角に内側へ折り曲げ、次に、第２の底蓋構成片１６を折曲げ線２１において直角に内側に折り曲げて、第４の底蓋構成片１８の切欠き１８ａと第１、第３の底蓋構成片１５、１７の突出端部１５ａ、１７ａとで構成された隙間２５に、第２の底蓋構成片１６の先端の差し込み部１６ａを差し込んで中空長方体の底を閉じた図５の状態にする。なお、底を閉じる構成はこれに限らず、種々の形状に底蓋構成片をすることができる。
【００１１】
図３に示すように、第１、第３、第４の側壁部４、６、７の上端からは第１、第２、第３の上蓋構成片２８、２９、３０が連設されている。
【００１２】
第１、第２の上蓋構成片２８、２９は、図３における縦の長さが第２、第４の側壁部５、７の横の長さの半分あるいはそれより僅かに小の長さに設定され、その先端には、図２の状態から第１、第２の上蓋構成片２８、２９を折曲げ線３１、３２で直角に内側へ折り曲げて第１、第２の上蓋構成片２８、２９の先端を突き合わせた状態にすると１つの円を構成するように半円形の切欠きによる第１、第２の拘束部２８ａ、２９ａがそれぞれ設けられている。
【００１３】
第３の上蓋構成片３０は、箱体１の上面を覆うように、図３における縦の長さが第１、第３の側壁部４、６の横の長さとほぼ同一に設定されている。そして、第３の上蓋構成片３０には、図１に示すように、第３の上蓋構成片３０を折曲げ線３３で直角に内側に折り曲げたときに前記２つの半円形切欠きによる第１、第２の拘束部２８ａ、２９ａが構成する円より大きな直径で同心円となる位置に、円形に穴明けするための切れ目３５が設けられている。
【００１４】
図２に示すように、第３の上蓋構成片３０の上端には、折曲げ線３７を介して差し込み部３８が連設されている。
【００１５】
前記第２の側壁部５の上端中央からは係止片４０が突設されている。この係止片４０には第１の折曲げ線４１に達する切込み４０ａ、４０ｂが両側に設けられている。
【００１６】
第３の上蓋構成片３０の先端の差し込み部３８には、折曲げ線３７に沿って前記係止片４０を差し込むための長穴状の係止穴４３が設けられている。なお４３ａは指で係止片４０を操作するための半円状の小穴である。
【００１７】
このような構造の包装用箱体１内に、液体（例えば飲料水、消毒液、その他）をいれた合成樹脂製の軟質の液体容器５０と、その備品のノズルキャップとを収納し、まず第１、第２の上蓋構成片２８、２９を閉じ、次に第３の上蓋構成片３０を閉じて、先端の差し込み部３８を第２の側壁部５の内側に差し込み、次に係止片４０を係止穴４３に差し込む。このようにして箱体１の上面の開口部を閉じて販売や輸送に供する。
【００１８】
図２、図６に示すように、この合成樹脂製の軟質の液体容器５０は、液体５１をいれた状態で角が丸いほぼ長方体状で、上面５２に一辺寄りの中央に円錐台状の軟質の膨出部５３が設けられ、この膨出部５３の中央に軟質の排出口部６０のドーナツ状の基部６１が溶着されている。
【００１９】
排出口部６０には、ドーナツ状の基部６１とドーナツ状のフランジ部６２との間に円錐筒状の首部６３が設けられ、フランジ部６２からは先端に排出口４ａを備えた円筒部６４が設けられている。円筒部６４の外周にはキャップ６８またはノズルキャップ７０を螺着するためのねじ面６５が設けられている。販売にあたって、円筒部６４にはキャップ６８が螺着され、ノズルキャップ７０は備品として箱体１内にいれてある。
【００２０】
前記第３の上蓋構成片３０の円形の切れ目３５による穴３５ａの直径は前記排出口部６０のフランジ部６２の外径より大に設定され、また、第１、第２の上蓋構成片２８、２９の半円形切欠きによる第１、第２の拘束部２８ａ、２９ａによる円の直径はフランジ部６２の外径より小さく、首部６３の外径より僅かに大きく設定されている。
【００２１】
次に、使用方法を説明する。
まず、図２に示すように係止片４０を外して第３の上蓋構成片３０を開き、次に第１、第２の上蓋構成片２８、２９を開き、箱体１の中にあるノズルキャップ７０を取り出す。
【００２２】
第３の上蓋構成体３０の円形の切れ目３５を指で押して穴３５ａを明ける。
液体容器５０の排出口部６０の円筒部６４からキャップ６８を外し、第３の上蓋構成片３０を閉じつつ、図６に示すように切れ目３５に明けた穴３５ａから排出口部６０を外側へ引き出して、図７に示すように円筒部６４にノズルキャップ７０を螺着する。そして、第３の上蓋構成片３０の先端の差し込み部３８を第２の側壁部５の内面に差し込み、係止片４０を係止穴４３に差し込む。
【００２３】
次に、図１、図６に示すように第１、第２の上蓋構成片２８、２９のいずれか一方を閉じて、半円形切欠きによる第１、第２の拘束部２８ａ、２９ａのいずれか一方に排出口部６０の基部６１とフランジ部６２の間の首部６３を押し付けるようにして、第１、第２の上蓋構成片２８、２９の他方を閉じつつ半円形切欠きによる第１、第２の拘束部２８ａ、２９ａを首部６３に押し当てて、２つの半円形切欠き２８ａ、２９ａの間に首部６３を挟むようにして首部６３を拘束する。
【００２４】
なお、この操作がしやすいように第１、第２の上蓋構成片２８、２９のいずれか一方に図１に示すように折れ線８０を予め加工しておいてもよい。
【００２５】
また、第１、第２の上蓋構成片２８、２９を閉じた後、接着テープなどを第１、第２の上蓋構成片２８、２９の突き合わせ部に沿ってまたがるように外側から接着してもよい。
【００２６】
そして、図８に示すように第２の側壁部５を上にして、ノズル部７１の操作レバー７２を操作して液体容器５０内の液体をノズル部７１から下方へ排出させてコップなどで受ける。
【００２７】
従って、液体容器５０が少しの外力でも撓むような軟質な合成樹脂製の場合でも、排出口部６０が固定されているため、ノズル部７１の操作レバー７２の操作を支障なく行うことができ、また、液体容器５０内の液体の量が減少して液体容器５０がしぼんできて排出口部６０が第１、第２の上蓋構成片２８、２９より内側へ退行しようとしても、第３の上蓋構成片３０で支えられている第１、第２の上蓋構成片２８、２９の半円形切欠きによる第１、第２の拘束部２８ａ、２９ａの縁部でフランジ部６２の退行が阻止されるため、使用によって内部の液体が減っても支障なく利用できる。
【００２８】
なお、前記第１、第２の上蓋構成片２８、２９の第１、第２の拘束部２８ａ、２９ａは半円形に９限らずコの字状、多角形その他、首部６３を両側から拘束できる形状であればよい。また，この第１、第２の拘束部２８ａ、２９ａは予め打ち抜いた切欠きにしてもよいが、切れ目を設けて利用者が切れ目に沿って指で押し明けるようにしてもよい。
【００２９】
同様に、第３の上蓋構成体３０の円形の切れ目３５の代りに、予め円形の穴３５ａを打ち抜きによって設けてもよい。また，円形に限らず，多角形などでもよい。
【００３０】
なお、外観上の美観のため前記第１、第２の上蓋構成片２８、２９に湾曲した切欠き２８ｂ、２９ｂを設けた例を示しているが、これは他の形状の切欠きにしてもよく、また設けなくてもよい。
【００３１】
また，包装用箱体１は段ボール紙に限らず他の材質のものでもよいことは勿論である。
また、液体容器５０は軟質のものでなくてもよい。
【００３２】
以上、本発明の実施形態を説明したが、本発明の構成は前記実施形態の構成にのみ限定されるものではなく、本発明の要旨を逸脱しない範囲で種々の変形が可能なことは勿論である。
【００３３】
【発明の効果】
以上のように本発明の包装用箱体では、開口面を突き合わせ状態で閉じる対向する２つの側壁端部に連設された第１、第２の蓋構成体の突き合わせ端部に収容物体を抱束する第１、第２の抱束部を設けたため、液体容器の排出口部を第１、第２の蓋構成体を閉じることによって抱束して、包装用箱体にいれたままの状態で液体容器内の液体を利用することができる。
【図面の簡単な説明】
【図１】本発明の一実施形態の使用状態の要部を示す斜視図
【図２】同実施形態の使用状態を示す斜視図
【図３】同実施形態の箱体の折り曲げ前の状態を示す展開図
【図４】同実施形態の底蓋を閉じる手順を示す説明図
【図５】同実施形態の底蓋を閉じる手順を示す説明図
【図６】同実施形態の使用状態を示す要部の断面図
【図７】同実施形態の使用方法を示す斜視図
【図８】同実施形態の使用状態を示す斜視図
【符号の説明】
１  包装用箱体
４、５、６、７  第１、第２、第３、第４の側壁部
２８、２９、３０  第１、第２、第３の上蓋構成片
２８ａ、２９ａ  第１、第２の拘束部
３５  切れ目
穴  ３５ａ
４０  係止片
４３  係止穴
５０  液体容器
５３  膨出部
６０  排出口部
６１  基部
６２  フランジ部
６３  首部
６４ａ  排出口
６８  キャップ
７０  ノズルキャップ
【図１】
2004284671.tif 000003
【図２】
2004284671.tif 000004
【図３】
2004284671.tif 000005
【図４】
2004284671.tif 000006
【図５】
2004284671.tif 000007
【図６】
2004284671.tif 000008
【図７】
2004284671.tif 000009
【図８】
2004284671.tif 000010